(57)【要約】      （修正有）【課題】広告布幕のサイズに応じて、取付支柱間を調整可能な大型広告幕の耐風モジュールを提供する。【解決手段】基部１と、スライド板体２と、結合部品３と、伝動装置４と、伝動棒５とからなる。基部には、第一レール１２と、ネジ棒１３とが設けられる。スライド板体の一側面には、第二レールが設けられる。第二レールは、基部の第一レールとスライド可能に結合されることにより、スライド板体を基部上で線状にスライドさせる。また、スライド板体の他側面には、結合部品が設けられ、結合部品によって支柱と結合される。伝動装置は、基部に設けられるとともに、ネジ棒と連結される。伝動棒は、伝動装置と結合される。以上の構造に基づき、伝動棒が伝動装置を駆動して、伝動装置がネジ棒を連動して、さらにネジ棒がスライド板体を連動して基部上において左右（或いは上下）の線状にスライド移動させる。【選択図】図７
0003188926.tif 000002
【実用新案登録請求の範囲】
【請求項１】
広告布幕の支柱に取り付けられるとともに、基部と、スライド板体と、結合部品と、伝動装置と、伝動棒とからなる、調整可能な大型広告幕の耐風モジュールであって、
前記基部の二側辺には、それぞれ第一レールが対応し合うように設けられるとともに、ネジ棒が設けられ、
前記ネジ棒は、一端に第一接続部が設けられ、他端に第二接続部が設けられるとともに、前記ネジには少なくとも一つのナットが線上移動するように嵌設され、
前記スライド板体は、前記基部と結合されるとともに、第一表面と第二表面とからなり、
前記第一表面の二側辺には、第二レールが対称に設けられ、
前記第二レールは、前記基部の第一レールとスライド可能に結合され、
さらに前記スライド板体の前記第一表面における前記第二レールの間には、第三レールが設けられ、
前記第三レール内には、緩衝装置が設けられ、
前記緩衝装置は、前記基部のナットと接続され、
前記結合部品は、前記スライド板体の第二表面に設けられるとともに、少なくとも一つの結合部を有し、
前記伝動装置は、前記基部に設けられるとともに、台座体と、伝動歯車ユニットと、歯車とからなり、
前記台座体には、対応し合う二つの第一穿孔と、一つの第二穿孔とが設けられ、
二つの前記第一穿孔と前記第二穿孔は、それぞれ異なる軸方向に設けられ、
前記第二穿孔は、前記ネジ棒の第一接続部と対応し、
前記伝動歯車ユニットは、前記台座体内部に設けられるとともに、二つの前記第一穿孔と同軸方向に設けられ、
前記歯車は、前記台座体内に設けられるとともに、前記伝動歯車ユニットと噛み合い、且つ前記第二穿孔と同軸方向に前記第二穿孔の位置に設けられて、前記ネジ棒の第一接続部と接続され、
前記伝動棒は、棒体であるとともに、前記台座体における二つの前記第一穿孔に貫設され、且つ前記伝動歯車ユニットと結合されることを特徴とする、調整可能な大型広告幕の耐風モジュール。
【請求項２】
前記基部における二つの前記第一レールの間には、さらに凹部が設けられ、
前記ネジ棒は、前記凹部内に設けられ、
さらに前記基部の前記凹部における二側辺には、それぞれ第一ストッパーと第二ストッパーとが設けられ、
前記第一ストッパーには、第一軸孔が設けられ、
前記第二ストッパーには、第二軸孔が設けられ、
前記ネジ棒の第一接続部は、前記第一ストッパーの第一軸孔に貫設され、
前記ネジ棒の第二接続部は、前記第二ストッパーの第二軸孔に貫設されることを特徴とする、請求項１に記載の調整可能な大型広告幕の耐風モジュール。
【請求項３】
前記基部の外部二側辺には、それぞれ板体が延伸して設けられ、
前記板体には、少なくとも二つの固定孔が設けられることを特徴とする、請求項１に記載の調整可能な大型広告幕の耐風モジュール。
【請求項４】
前記緩衝装置は、スライドブロックと、位置決めブロックと、少なくとも一つの棒体と、少なくとも一つの弾性部品とからなり、
前記スライドブロックは、前記第三レールに可動に設けられるとともに、前記第三レール内で線状移動し、且つ基部のナットと接続され、
前記位置決めブロックは、前記スライド板体の第一表面に固定されるとともに、前記スライドブロックと対応し、
前記棒体は、それぞれ前記スライドブロック及び前記位置決めブロックに貫設して固定され、且つ前記弾性部品が嵌設されることを特徴とする、請求項１に記載の調整可能な大型広告幕の耐風モジュール。
【請求項５】
前記伝動装置の台座体には、収容スペースが設けられ、
前記伝動歯車ユニットは、前記収容スペース内に設けられることを特徴とする、請求項１に記載の調整可能な大型広告幕の耐風モジュール。
【請求項６】
前記伝動棒は、嵌め合せ式の管構造をなすとともに、複数の付属伝動棒が嵌め合されて連結されてなり、
さらに複数の前記付属伝動棒の間は、自在継手によって互いに枢接されることを特徴とする、請求項１に記載の調整可能な大型広告幕の耐風モジュール。
【請求項７】
前記伝動棒と付属伝動棒の間は、自在継手によって連結されることを特徴とする、請求項６に記載の調整可能な大型広告幕の耐風モジュール。
【考案の詳細な説明】
【技術分野】
【０００１】
本考案は、広告幕の耐風モジュールに関し、特に、広告布幕の支柱に取り付けて使用する、調整可能な大型広告幕の耐風モジュールに関する。
【背景技術】
【０００２】
広告布幕のサイズが大きすぎたり或いは小さすぎたりして誤差が生じた時、広告布幕は、二つの支柱の間において、平坦な（平らな）状態を形成することができない。布幕が大きすぎる場合、広告布幕が平らでなくなり皺が生じるだけでなく、風力抵抗（風圧）から受ける応力を倍増させる。また、布幕が小さすぎる場合、施工業者が取り外し、製作し直して、再び取り付ける等の煩雑な作業を行わなければならず、無駄なコストを費やし、且つ危険性が増すことになる。
【考案の概要】
【考案が解決しようとする課題】
【０００３】
本考案は、調整可能な大型広告幕の耐風モジュールを提供することを目的とする。
【課題を解決するための手段】
【０００４】
本考案は、基部と、スライド板体と、結合部品と、伝動装置と、伝動棒とからなる。前記基部には、第一レールと、ネジ棒とが設けられる。前記スライド板体の一側面には、第二レールが設けられる。第二レールは、基部の第一レールとスライド可能に結合されることにより、スライド板体を基部上で線状にスライドさせる。また、スライド板体の他側面には、結合部品が設けられ、結合部品によって支柱と結合される。前記伝動装置は、基部に設けられるとともに、ネジ棒と連結される。前記伝動棒は、伝動装置と結合される。以上の構造に基づき、前記伝動棒が前記伝動装置を駆動して、前記伝動装置が前記ネジ棒を連動して、さらに前記ネジ棒が前記スライド板体を連動して前記基部上において左右（或いは上下）の線状にスライド移動させる。
【考案の効果】
【０００５】
以上に基づき、本考案は、広告布幕のサイズと支柱間の距離が合わない場合でも、板体をスライドさせて（左右、或いは上下）、線状移動による調整を行うだけで、支柱を連動して移動させて、二つの支柱間の間隔を調整することができるため、特に施工終了後の微調整が必要なときにおいて、広告布幕が最良の調整機能を有する。
【図面の簡単な説明】
【０００６】
【図１】本考案の使用実施例を示した概略図である。
【図２】本考案の斜視図である。
【図３】本考案のもう一つの斜視図である。
【図４】本考案の各部の構造を示した分解図である。
【図５】本考案の実施例における作動を示した概略図である。
【図６】本考案の実施例におけるもう一つの作動を示した概略図である。
【図７】本考案の構造を示した側方視断面図である。
【図８】本考案の伝動棒の実施例を示した概略図である。
【考案を実施するための形態】
【０００７】
図１、図２、図３、図４、図７を参照する。本考案の調整可能な大型広告幕の耐風モジュールは、広告布幕７の支柱６に可動に設けられるとともに、基部１と、スライド板体２と、結合部品３と、伝動装置４と、複数の伝動棒５とからなる。
【０００８】
基部１の二側辺には、それぞれ第一レール１２が対応し合うように設けられ、対称に設けられた二つの第一レール１２の間に凹部１１とネジ棒１３とが設けられる。ネジ棒１３は、凹部１１内に設けられるとともに、その一端に第一接続部１３１が設けられ他端に第二接続部１３２が設けられる。さらに、ネジ棒１３には、少なくとも一つのナット１４が嵌設され、ナット１４はネジ棒１３上を線状移動する。また、基部１の凹部１１における二側辺には、それぞれ第一ストッパー１５と第二ストッパー１６とが設けられる。第一ストッパー１５には第一軸孔１５１が設けられ、第二ストッパー１６には第二軸孔１６１が設けられる。ネジ棒１３の第一接続部１３１は第一ストッパー１５の第一軸孔１５１に貫設され、ネジ棒１３の第二接続部１３２は第二ストッパー１６の第二軸孔１６１に貫設されることにより、ネジ棒１３が第一軸孔１５１及び第二軸孔１６１を軸心として、さらに回転構造を備える。これにより、ネジ棒１３は、回転時にナット１４を連動して線状移動させることができる。
【０００９】
さらに、基部１の外部二側辺には、それぞれ板体１７が延伸して設けられる。板体１７には、少なくとも二つの固定孔１７１が設けられ、鎖固元件が板体１７の固定孔１７１に貫設されることにより、基部１が物体（例えば、壁面或いは鉄骨）に固定される。前述の第一ストッパー１５及び第二ストッパー１６は、貼合、溶接、或いは螺合といった方法によって基部１と結合される。
【００１０】
スライド板体２は、基部１と結合されるとともに、第一表面２１と第二表面２２とからなる。第一表面２１の二側辺には、第二レール２３が対称に設けられる。第二レール２３は、基部１の第一レール１２とスライド可能に結合されることにより、スライド板体２を基部１上で線状にスライドさせる。また、スライド板体２の第一表面２１における二つの第二レール２３の間には、第三レール２４が設けられ、第三レール２４内に緩衝装置２５が設けられる。緩衝装置２５は、スライドブロック２５１と、位置決めブロック２５２と、少なくとも一つの棒体２５３と、少なくとも一つの弾性部品２５４とからなる。スライドブロック２５１は、第三レール２４に可動に設けられるとともに、第三レール２４内で線状移動し、且つ基部１のナット１４と接続されることにより、緩衝装置２５と基部１のナット１４が接続される。位置決めブロック２５２は、スライド板体２の第一表面２１に固定されるとともに、スライドブロック２５１と対応する。棒体２５３は、それぞれスライドブロック２５１及び位置決めブロック２５２に貫設して固定され、且つ弾性部品２５４が嵌設される。スライドブロック２５１とナット１４が接続されることにより、スライド板体２がスライドブロック２５１を支点として、スライドブロック２５１の方向における元の位置へ弾性によって戻る（図７を参照）。これにより、スライド板体２は、緩衝装置２５によって弾性的に元の位置に戻るという効果を有する。
【００１１】
結合部品３は、スライド板体２の第二表面２２に設けられるとともに、少なくとも一つの結合部３１を有する。
【００１２】
伝動装置４は、基部１における第一ストッパー１５と隣接する位置に設けられるとともに、台座体４１と、伝動歯車ユニット４２と、歯車４３とからなる。台座体４１には、収容スペース４０が設けられるとともに、対応し合う二つの第一穿孔４１１と、一つの第二穿孔４１２とが設けられる。二つの第一穿孔４１１と第二穿孔４１２は、それぞれ異なる軸方向に設けられる。さらに第二穿孔４１２は、ネジ棒１３の第一接続部１３１及び第一ストッパー１５の第一軸孔１５１と対応する。伝動歯車ユニット４２は、台座体４１内部に設けられるとともに、台座体４１の第一穿孔４１１と同軸方向に設けられる。歯車４３は、台座体４１内に設けられるとともに、伝動歯車ユニット４２と噛み合う。さらに歯車４３は、台座体４１における第二穿孔４１２の位置に第二穿孔４１２と同軸方向に設けられるとともに、ネジ棒１３の第一接続部１３１と接続される。また、伝動装置４には、蓋板４４が設けられ、蓋板４４によって台座体４１が覆われる。
【００１３】
伝動棒５は、伝動装置４の台座体４１における二つの第一穿孔４１１にそれぞれ貫設されるとともに、伝動歯車ユニット４２と結合される。
【００１４】
以上の構造により、まず伝動棒５が伝動装置４の伝動歯車ユニット４２を駆動して回転させて、次に伝動装置４の伝動歯車ユニット４２が歯車４３を連動して、さらに歯車４３がネジ棒１３を連動して回転させる。ネジ棒１３は回転する時にナット１４を連動して線状移動させる。この時、ナット１４がスライドブロック２５１を連動して、最後にスライドブロック２５１がスライド板体２を連動して基部１上において左右或いは上下の線状にスライド移動させる。
【００１５】
図５、６を合わせて参照する。本考案の実施例において、伝動棒５が逆時計回りに回転した時、伝動棒５が伝動装置４を駆動し、伝動装置４がネジ棒１３を連動して回転させ、さらにネジ棒１３がスライド板体２を連動して基部１上において左或いは下方向に向かって線状にスライド移動させる。また、伝動棒５が時計回りに回転した時、伝動棒５が伝動装置４を駆動し、伝動装置４がネジ棒１３を連動して回転させ、さらにネジ棒１３がスライド板体２を連動して基部１上において右或いは上方向に向かって線状にスライド移動させる。
【００１６】
以上に基づき、広告布幕７のサイズと支柱６間の間隔とに誤差がある場合、作業員は地上で伝動棒５を回転させるだけで、スライド板体２を左右或いは上下に線状移動させて調整することができるほか、スライド板体２が支柱６を連動して同時に移動させることにより、支柱６間の間隔を適切に調整することができる。これにより、広告布幕７が真っ直ぐに張られて平らな望ましい状態となる。
【００１７】
さらにスライド板体２には緩衝装置２５が設けられることにより、スライド板体２が弾性によって元の位置に戻る効果を有する（図７を参照）とともに、二つの支柱６間の間隔が弾性伸縮による裕度を有する。正方向或いは逆方向のいずれの風向きかを問わず、風による衝撃が広告布幕７に当たった時、広告布幕７が高い風力抵抗（風圧）の応力を受けるため、支柱６はスライド板体２の弾性によって元の位置に戻る効果を生じる。これにより、風力抵抗に耐える機能を形成するとともに、さらに高度な風力抵抗緩衝効果を得ることができるため、広告布幕７が受ける風力抵抗の応力が大きすぎて、広告布幕７が破損したり支柱６が傾いたりするといった危険な状況の発生を避けることができる。
【００１８】
図２を参照する。前述した伝動棒５は、棒体をなすほか、嵌め合せ式の管構造をなすとともに、複数の付属伝動棒５１が嵌め合されて連結されてなることにより、伝動棒５と複数の付属伝動棒５１の回転伝動が効果的に形成されるだけでなく、長さの伸縮調整機能という利点を備えることができる。さらに図１、８を参照する。複数の付属伝動棒５１の間には、それぞれ自在継手５２が接続される。複数の付属伝動棒５１は、自在継手５２によって互いに枢接されることにより、伝動及び折り曲げという特性を備えることができる。
【符号の説明】
【００１９】
１            基部
１１   凹部
１２   第一レール
１３   ネジ棒
１３１ 第一接続部
１３２ 第二接続部
１４   ナット
１５   第一ストッパー
１５１ 第一軸孔
１６   第二ストッパー
１６１ 板体
１７１ 固定孔
２            スライド板体
２１   第一表面
２２   第二表面
２３   第二レール
２４   第三レール
２５   緩衝装置
２５１ スライドブロック
２５２ 位置決めブロック
２５３ 棒体
２５４ 弾性部品
３            結合部品
３１   結合部
４            伝動装置
４０   収容スペース
４１   台座体
４１１ 第一穿孔
４１２ 第二穿孔
４２   伝動歯車ユニット
４３   歯車
４４   蓋板
５            伝動棒
５１   複数の付属伝動棒
５２   自在継手
６            支柱
６１   結合溝
７            広告布幕
【図１】
0003188926.tif 000003
【図２】
0003188926.tif 000004
【図３】
0003188926.tif 000005
【図４】
0003188926.tif 000006
【図５】
0003188926.tif 000007
【図６】
0003188926.tif 000008
【図７】
0003188926.tif 000009
【図８】
0003188926.tif 000010